(57)【要約】【課題】利用者の嗜好に合う可能性が高い広告を自動的に選択して送信することができる広告配信システム及び広告配信方法を提供する。【解決手段】システム１は、電話の呼出中に発信者の携帯電話機Ｐ１に広告を送信する広告配信システムである。システム１は、広告データベース５と、各広告に対する携帯電話の各利用者の広告に対する評価の情報が蓄積される評価情報蓄積部７と、各広告同士の評価の情報の組合せの類似度を算出し広告の送信先を選択する蓄積情報演算部９と、携帯電話機Ｐ１に広告を送信する広告送出部１５と、広告送信後の携帯電話機Ｐ１の操作に基づいて、発信者Ｕ１の評価の情報を取得し評価の情報を更新する情報更新部２５と、を備えている。蓄積情報演算部９は、所定の広告に対応する送信先の端末を選択する際に、所定の広告以外の各広告の評価の情報、及び当該広告と所定の広告との類似度に基づいて、当該所定の広告の送信先を選択する。【選択図】図１
2007272660.tif 000002
【特許請求の範囲】
【請求項１】
複数の利用者の端末が属する通信網で前記端末から電話が発信された際に、その電話の発信者の前記端末に、その電話の呼出中に広告を送信する広告配信システムにおいて、
複数の前記広告を記憶する広告記憶手段と、
各前記広告に対して各前記利用者から得られた評価の情報が蓄積される評価情報蓄積手段と、
前記広告記憶手段に記憶された各前記広告に対応付けて、当該広告を送信する送信先の端末を前記利用者の前記端末の中から選択する送信先選択手段と、
前記広告を、当該広告の送信先の端末として対応付けられた前記発信者の端末に、前記電話の呼出中において送信する広告送信手段と、
前記広告送信手段による前記広告の送信後に行われた前記発信者の端末の操作に基づいて、前記発信者における前記広告への評価の情報を取得し、前記評価情報蓄積手段に蓄積された前記評価の情報を更新する評価情報更新手段と、
前記評価情報蓄積手段に蓄積された各前記広告の前記評価の情報に基づいて、各前記広告同士の前記評価の情報の組合せの類似度を算出する類似度算出手段と、を備え、
前記送信先選択手段は、
所定の前記広告に対応する前記送信先の端末を選択する際に、
前記評価情報蓄積手段に蓄積された、前記所定の広告以外の各前記広告の前記評価の情報、及び前記類似度算出手段で算出された、当該広告の前記評価の情報の組合せと前記所定の広告の前記評価の情報の組合せとの類似度に基づいて、前記所定の広告に対応する前記送信先の端末を選択することを特徴とする広告配信システム。
【請求項２】
前記送信先選択手段は、
所定の前記広告に対応する前記送信先の端末を選択する際に、
各前記広告のうち、前記所定の広告との各前記利用者の前記評価の情報の組合せの前記類似度が高い広告のグループにおける前記評価の情報に基づいて、
前記所定の広告に対応する前記送信先の端末を選択することを特徴とする請求項１に記載の広告配信システム。
【請求項３】
複数の利用者の端末が属する通信網で前記端末から電話が発信された際に、その電話の発信者の前記端末に、その電話の呼出中に広告を送信する広告配信方法おいて、
複数の前記広告を記憶する広告記憶ステップと、
各前記広告に対して各前記利用者から得られた評価の情報を蓄積する評価情報蓄積ステップと、
前記広告記憶ステップで記憶された各前記広告に対応させて、当該広告を送信する送信先の端末を前記利用者の前記端末の中から選択する送信先選択ステップと、
前記広告を、当該広告の送信先の端末として対応付けられた前記発信者の端末に、前記電話の呼出中において送信する広告送信ステップと、
前記広告送信ステップによる前記広告の送信後に行われた前記発信者の端末の操作に基づいて、前記発信者における前記広告への評価の情報を取得し、前記評価情報蓄積ステップに蓄積された前記評価の情報を更新する評価情報更新ステップと、
前記評価情報蓄積ステップに蓄積された各前記広告の前記評価の情報に基づいて、各前記広告同士の前記評価の情報の組合せの類似度を算出する類似度算出ステップと、を備え、
前記送信先選択ステップでは、
所定の前記広告に対応する前記送信先の端末を選択する際に、
前記評価情報蓄積ステップで蓄積された、前記所定の広告以外の各前記広告の前記評価の情報、及び前記類似度算出ステップで算出された、当該広告の前記評価の情報の組合せと前記所定の広告の前記評価の情報の組合せとの類似度に基づいて、前記所定の広告に対応する前記送信先の端末を選択することを特徴とする広告配信方法。
【発明の詳細な説明】
【技術分野】
【０００１】
本発明は、端末から電話が発信された際、その発信者の端末に、その電話の呼出中において広告を送信する広告配信システム及び広告配信方法に関するものである。
【背景技術】
【０００２】
従来、このような分野の技術として、下記特許文献１に記載の広告配信システムが知られている。この文献に記載された広告配信システムは、広告を目的とする種々の広告音源を記憶しており、電話の発信があった際には、電話の呼出中のリングバックトーンとして上記広告音源を再生出力する。このように電話の発信者に広告音源を送信し、電話の呼出中の時間を利用した広告を行っている。
【特許文献１】特開２００５−７２６９２号公報
【発明の開示】
【発明が解決しようとする課題】
【０００３】
しかしながら、上記のようなシステムでは、広告効果の向上のために、広告としてのリングバックトーンを利用者の嗜好に合わせて選択することが好ましい。そして、このような広告の選択のためには、広告の選択基準を管理者又は利用者が事前に設定することが必要である。このため、設定のための人的コストが発生するという問題がある。また、このような方法による広告の選択の場合、利用者に新たに送信するための広告については、その利用者の嗜好に合うか否かの判断が困難であり、利用者の嗜好に合わせた新しい広告の送信が効率よく行われないという問題がある。
【０００４】
そこで、本発明は、利用者の嗜好に合う可能性が高い広告を自動的に選択して送信することができる広告配信システム及び広告配信方法を提供することを目的とする。
【課題を解決するための手段】
【０００５】
本発明に係る広告配信システムは、複数の利用者の端末が属する通信網で端末から電話が発信された際に、その電話の発信者の端末に、その電話の呼出中に広告を送信する広告配信システムにおいて、複数の広告を記憶する広告記憶手段と、各広告に対して各利用者から得られた評価の情報が蓄積される評価情報蓄積手段と、広告記憶手段に記憶された各広告に対応させて、当該広告を送信する送信先の端末を利用者の端末の中から選択する送信先選択手段と、広告を、当該広告の送信先の端末として対応付けられた発信者の端末に、電話の呼出中において送信する広告送信手段と、広告送信手段による広告の送信後に行われた発信者の端末の操作に基づいて、発信者における広告への評価の情報を取得し、評価情報蓄積手段に蓄積された評価の情報を更新する評価情報更新手段と、評価情報蓄積手段に蓄積された各広告の評価の情報に基づいて、各広告同士の評価の情報の組合せの類似度を算出する類似度算出手段と、を備え、送信先選択手段は、所定の広告に対応する送信先の端末を選択する際に、評価情報蓄積手段に蓄積された、所定の広告以外の各広告の評価の情報、及び類似度算出手段で算出された、当該広告の評価の情報の組合せと所定の広告の評価の情報の組合せとの類似度に基づいて、所定の広告に対応する送信先の端末を選択することを特徴とする。
【０００６】
この広告配信システムによれば、端末から電話が発信されると、その発信者の端末には電話の呼出中に広告が送信される。そして、この広告が送信された後に発信者が端末の操作を行うと、その操作に基づいて発信者における広告への評価の情報が取得され、その評価の情報によって、既に蓄積されている情報が更新される。このようにして、評価情報蓄積手段には、各利用者における各広告に対する評価の情報が自動的に蓄積されていく。そして、この広告配信システムでは、蓄積された情報に基づいて各広告に対応する送信先が自動的に選択され、電話の発信があった際にその送信先の端末に送信されるので、広告の送信先の設定のための人的コストを抑えることができる。
【０００７】
また、このシステムで所定の広告の送信先の端末を選択する場合には、その所定の広告の評価の情報のみではなく、それ以外の広告の各利用者の評価の情報、及び当該広告の評価の情報の組合せと所定の広告の評価の情報の組合せとの類似度に基づいて選択される。従って、この選択の際には、その所定の広告を未評価の利用者についても、他の広告の評価の情報とその所定の広告自身の評価の情報とを比較しながら、両者の類似度に基づいて、その利用者から所定の広告に付与される評価を推測することができる。従って、高い評価が得られると推測される利用者に、各広告を対応させることができ、各広告をその広告の嗜好に合う可能性が高い発信者に対して送信することができる。つまり、発信者の嗜好に合う可能性が高い広告を発信者の端末に送信することができる。
【０００８】
また、送信先選択手段は、所定の広告に対応する送信先の端末を選択する際に、各広告のうち、所定の広告との各利用者の評価の情報の組合せの類似度が高い広告のグループにおける評価の情報に基づいて、所定の広告に対応する送信先の端末を選択することが好ましい。このようにすれば、評価が所定の広告に近い広告における評価の情報に基づいて、所定の広告が得られる評価をより正確に推測することができるので、各広告を、嗜好にあう可能性がより高い利用者に送信することができる。
【０００９】
また、本発明に係る広告配信方法は、複数の利用者の端末が属する通信網で端末から電話が発信された際に、その電話の発信者の端末に、その電話の呼出中に広告を送信する広告配信方法おいて、複数の広告を記憶する広告記憶ステップと、各広告に対して各利用者から得られた評価の情報を蓄積する評価情報蓄積ステップと、広告記憶ステップで記憶された各広告に対応させて、当該広告を送信する送信先の端末を利用者の端末の中から選択する送信先選択ステップと、広告を、当該広告の送信先の端末として対応付けられた発信者の端末に、電話の呼出中において送信する広告送信ステップと、広告送信ステップによる広告の送信後に行われた発信者の端末の操作に基づいて、発信者における広告への評価の情報を取得し、評価情報蓄積ステップに蓄積された評価の情報を更新する評価情報更新ステップと、評価情報蓄積ステップに蓄積された各広告の評価の情報に基づいて、各広告同士の評価の情報の組合せの類似度を算出する類似度算出ステップと、を備え、送信先選択ステップでは、所定の広告に対応する送信先の端末を選択する際に、評価情報蓄積ステップで蓄積された、所定の広告以外の各広告の評価の情報、及び類似度算出ステップで算出された、当該広告の評価の情報の組合せと所定の広告の評価の情報の組合せとの類似度に基づいて、所定の広告に対応する送信先の端末を選択することを特徴とする。
【００１０】
この広告配信方法によれば、端末から電話が発信されると、その発信者の端末には電話の呼出中に広告が送信される。そして、この広告が送信された後に発信者が端末の操作を行うと、その操作に基づいて発信者における広告への評価の情報が取得され、その評価の情報によって、既に蓄積されている情報が更新される。このようにして、各利用者における各広告に対する評価の情報が自動的に蓄積されていく。そして、この広告配信方法では、蓄積された情報に基づいて各広告に対応する送信先が自動的に選択され、電話の発信があった際にその送信先の端末に送信されるので、広告の送信先の設定のための人的コストを抑えることができる。
【００１１】
また、この方法で所定の広告の送信先の端末を選択する場合には、その所定の広告の評価の情報のみではなく、それ以外の広告の各利用者の評価の情報、及び当該広告の評価の情報の組合せと所定の広告の評価の情報の組合せとの類似度に基づいて選択される。従って、この選択の際には、その所定の広告を未評価の利用者についても、他の広告の評価の情報とその所定の広告自身の評価の情報とを比較しながら、両者の類似度に基づいて、その利用者から所定の広告に付与される評価を推測することができる。従って、高い評価が得られると推測される利用者に、各広告を対応させることができ、各広告をその広告の嗜好に合う可能性が高い発信者に対して送信することができる。つまり、発信者の嗜好に合う可能性が高い広告を発信者の端末に送信することができる。
【発明の効果】
【００１２】
本発明の広告配信システム及び広告配信方法によれば、利用者の嗜好に合う可能性が高い広告を自動的に選択して送信することができる。
【発明を実施するための最良の形態】
【００１３】
以下、図面を参照しつつ本発明に係る広告配信システム及び広告配信方法の好適な実施形態について詳細に説明する。
【００１４】
図１に示す広告配信システム１は、携帯電話網３において、携帯電話の発信者に対するリングバックトーンとして、単調な発信音に代えて広告に係る音声を提示するシステムである。この広告配信システム１では、電話の発信者に音声で広告を提示した後、その広告に対する評価を発信者から取得して蓄積し、蓄積された情報を基にして、更に利用者から高い評価が得られるような広告を自動的に選択し送信することができる。
【００１５】
このような広告の送信を行うため、広告配信システム１は、広告データベース（広告記憶手段）５、評価情報蓄積部（評価情報蓄積手段）７、蓄積情報演算部（類似度算出手段，送信先選択手段）９、広告制御部１３、広告送出部（広告送信手段）１５、関連情報提示部２３、及び情報更新部（評価情報更新手段）２５を機能的な要素として備えている。また、この携帯電話網３に属する携帯電話機Ｐ１，Ｐ２は、ゲートウェイ３１を介してインターネット網３３にアクセスすることも可能である。
【００１６】
広告配信システム１において、広告データベース５には、リングバックトーンとして用いるための広告の音声データが複数記憶されている。評価情報蓄積部７は、送信された各広告に対する各利用者の評価が数値化され、各利用者の携帯電話番号に関連づけられて蓄積されている。広告制御部１３は、この評価情報蓄積部７の情報を参照し、広告データベース５に記憶された広告の中から、電話の発信者へ送信する広告を選択する機能を有している。ここで選択された広告は、広告送出部１５から発側交換機１７を介し、リングバックトーンとして発信者の携帯電話機Ｐ１に送出される。
【００１７】
このような広告配信システム１において、利用者（発信者）Ｕ１の携帯電話機Ｐ１から利用者Ｕ２の携帯電話機Ｐ２への電話が発信された場合、図１及び図２に示すように、携帯電話機Ｐ１からの発信要求情報として、携帯電話機Ｐ１の電話番号及び携帯電話機Ｐ２の電話番号の情報が発側交換機１７に送られる（Ｓ１０２）。発信要求を受けた発側交換機１７は、携帯電話機Ｐ２の電話番号に基づき、該当する着側交換機１９を通じて携帯電話機Ｐ２との接続を試みる。
【００１８】
また、このとき、発側交換機１７は、携帯電話機Ｐ１の電話番号の情報を、広告送出要求として広告制御部１３にも送出する（Ｓ１０４）。広告制御部１３は、携帯電話機Ｐ１の電話番号に基づいて、広告の選択に必要な情報を評価情報蓄積部７に要求する（Ｓ１０６）。そして、評価情報蓄積部７から取得した（Ｓ１０８）情報に基づいて、広告データベース５に記憶された広告の中から、利用者Ｕ１からの高い評価が得られると推測される広告を選択する（Ｓ１１０）。なお、この広告の選択の処理についての詳細は後述する。次に、広告制御部１３は、選択した広告の音声データを広告データベース５から取得し（Ｓ１１２）、この音声データ及び携帯電話機Ｐ１の電話番号と一緒に、広告送出命令を広告送出部１５に送る（Ｓ１１４）。広告送出部１５は、携帯電話機Ｐ１，Ｐ２間の接続が確立するまでの間、発側交換機１７を介し携帯電話機Ｐ１に対して、広告に係る音声データを送出する（Ｓ１１６）。利用者Ｕ１は、電話の接続が確立するまでの間、リングバックトーンとして、広告に係る音声を聞くことになり、このことで、利用者Ｕ１は、携帯電話機Ｐ２の呼出中であることを認識することができる。その後、広告音声が停止し、携帯電話機Ｐ１，Ｐ２間の接続が確立されると、携帯電話機Ｐ１，Ｐ２間での通話が開始される。
【００１９】
その後、利用者Ｕ１の携帯電話機Ｐ１が通話を終了させると、携帯電話機Ｐ１から、発側交換機１７を介して広告制御部１３に対して、通話終了情報が送出される（Ｓ１２０）。この通話終了情報を受けた広告制御部１３は、ゲートウェイ３１を通じ、関連情報提示部２３に対して、関連情報の送出命令を送る（Ｓ１２２）。そして関連情報提示部２３は、リングバックトーンとして送信された上記広告の関連情報を、ゲートウェイ３１を介して、携帯電話機Ｐ１に送信する（Ｓ１２４）。この関連情報には、上記広告に係る商品を購入することができるインターネット上の商品サイトのＵＲＬが含まれ、関連情報を受け取った携帯電話機Ｐ１のディスプレイには、この商品サイトへのリンクが表示される。
【００２０】
ここで利用者Ｕ１が、この商品サイトへアクセスする旨の操作を行うと、携帯電話機Ｐ１からゲートウェイ３１へのアクセス要求が送られ（Ｓ１２６）、ゲートウェイ３１からのセッション確立要求・コンテンツ要求（Ｓ１２８）によって、上記商品サイトのコンテンツが携帯電話機Ｐ１に提供される（Ｓ１３０）。そして、利用者Ｕ１は、携帯電話機Ｐ１の操作により、商品サイト上において広告に係る商品を購入することもできる。また、広告に係る商品に関心が無い場合にも、利用者Ｕ１は携帯電話機Ｐ１の操作によって、サイトにアクセスせずにそのまま終了したり、広告の受信拒否の設定を行ったりすることができる。
【００２１】
このような携帯電話機Ｐ１の操作の情報は、ゲートウェイ３１を通じて、広告配信システム１の情報更新部２５に送られる（Ｓ１３２）。情報更新部２５では、携帯電話機Ｐ１で行われた上記のような操作を、利用者Ｕ１による広告の評価と見なして、評価が高い順に４点〜１点の４段階の評価値（評価の情報）に変換する（Ｓ１３４）。例えば、具体的には、上記のサイトを通じて商品を購入する操作が行われた場合には、送信された広告が利用者Ｕ１により高い評価を得たものと見なして、操作の情報は４点に変換される。また、上記サイトをブックマーク登録する操作が行われた場合には３点に、上記サイトを閲覧する操作のみが行われた場合には２点にそれぞれ変換される。また、広告の受信拒否設定の操作が行われた場合には、送信された広告が利用者Ｕ１により低い評価を得たものと見なし、この操作の情報は１点に変換される。なお、利用者Ｕ１が、上記サイトへのアクセスを行わずに終了した場合には、「未評価」とする。そして、情報更新部２５は、得られた評価値に基づいて、評価情報蓄積部７に記憶されている情報を更新する（Ｓ１３６）。このようにして、各利用者からの電話の発信がある毎に、評価情報蓄積部７には、利用者による各広告に対する評価の情報が、評価値として蓄積されていく。
【００２２】
その後、蓄積情報演算部９は、評価情報蓄積部７に蓄積された各広告の各利用者の評価値の情報を受け取り（Ｓ１３８）、この情報に基づいて、評価値の組合せが類似する広告同士をグループ化することで、広告をグループ分けする（Ｓ１４０）。ここで、「評価値の組合せが類似する」とは、各利用者から得られた評価値の大小の組合せが、広告間において類似していることを意味する。すなわち、この評価値の組合せが類似する広告同士は、どのような利用者からどのような評価を受けるかという評価の傾向が類似しているので、各利用者からの好まれ方が類似すると考えることができる。更に、その後、蓄積情報演算部９は、広告のグループ分けの情報に基づいて、各広告の送信先とすべき利用者の端末を決定し（Ｓ１４１）、各広告の属性として評価情報蓄積部７に記憶させる（Ｓ１４２）。
【００２３】
以下、蓄積情報演算部９による上記グループ分け（Ｓ１４０）、及び各広告に対応する送信先決定のための処理（Ｓ１４１，Ｓ１４２）の詳細について説明する。
【００２４】
図３に一例を示すように、評価情報蓄積部７には、各利用者Ａ〜Ｇにおける飲料の広告α〜δ，及び乗用車の広告ア〜ウに対する評価値が、利用者の携帯電話番号に関連づけられて記憶されている。まず、蓄積情報演算部９は、図４に示すように、各利用者Ａ〜Ｇから得られた評価値がランダムに設定された２つの仮想広告Ｉ，ＩＩを設定する。次に下記数式（１）を用い、各広告α〜δ，ア〜ウについて、仮想広告Ｉ及び仮想広告ＩＩそれぞれとの広告類似度ｒを計算する。
【数１】
2007272660.tif 000003
この数式（１）により定義される広告類似度ｒｍｎは、各利用者から得られた評価値の組合せが、広告ｍと広告ｎとの間でどの程度類似しているかを数値化したものである。この広告類似度ｒｍｎは、−１〜１の値を取り、ｒｍｎが大きいほど、各利用者から付与された評価値の組合せが、広告ｍと広告ｎとの間で類似していることを表す。このような数式（１）によって、広告ｍと広告ｎとの間の類似性を数値化することができる。
【００２５】
次に、数式（１）により計算された広告類似度ｒの大小に基づき、各広告α〜δ，ア〜ウを、仮想広告Ｉとの広告類似度ｒの方が仮想広告ＩＩとの広告類似度ｒよりも大きい第１グループと、仮想広告ＩＩとの広告類似度ｒの方が仮想広告Ｉとの広告類似度ｒよりも大きい第２グループとに分ける。更に、第１グループに属する広告における各利用者の評価値をそれぞれ平均し、この平均の評価値が設定された新たな仮想広告Ｉを設定する。同様に、第２グループに属する広告における各利用者の評価値をそれぞれ平均し、この平均の評価値が設定された新たな仮想広告ＩＩを設定する。
【００２６】
そして、再度、各広告α〜δ，ア〜ウについて、新たな仮想広告Ｉ，ＩＩとの広告類似度ｒを計算し、上記同様に新たな第１グループ及び第２グループを作成する。そして、このような処理をグループ分けが収束するまで所定回数繰り返すと、図３の例の場合、広告α〜δ，ア〜ウは、広告α，β，イ（第１グループ）と、広告γ，δ，ア，ウ（第２グループ）とにグループ分けされる。例えば、第１グループの広告α，β，イは、利用者Ａ，Ｂから高い評価値を得て、利用者Ｃ，Ｄからは低い評価値を得ている、といったように、互いの評価値の組合せが類似している。第２グループの広告γ，δ，ア，ウも同様に、互いの評価値の組合せが類似している。このように、上述の広告のグループ分けの処理により、各広告α〜δ，ア〜ウを、利用者から得られた評価値の組合せが類似する２つのグループに分類することができる。
【００２７】
更に、蓄積情報演算部９は、このような広告のグループ分けに基づき、各広告α〜δ，ア〜ウを送信するのに適した送信先の利用者を選択する。以下では、飲料の広告αに対応する送信先を選択する場合を例として、この選択の処理を説明する。
【００２８】
蓄積情報演算部９は、広告αが属する第１グループについて、各広告α，β，イが各利用者Ａ〜Ｇから得た評価値の情報を取得する。次に、広告αを未評価である「利用者Ｆ」及び「利用者Ｇ」が、第１グループの他の広告β，イに対してどのような評価値を付与しているかを参照する。この場合、利用者Ｆが広告β，イに対して付与した評価値の平均は３．５であり、利用者Ｇが広告β，イに対して付与した評価値の平均は３．０である。ここで、広告αは、同じ第１グループに属する広告β，イと評価値の組合せが類似しているという前提に鑑みると、広告αについても、利用者Ｆから得られる評価値が利用者Ｇから得られる評価値よりも高いと推測することができる。従って、この場合、蓄積情報演算部９は、広告αを未評価である利用者のうち、「利用者Ｆ」を広告αの送信先として選択する。同様にして、各広告の送信先が選択され、各広告に対応づけられた送信先は、評価情報蓄積部７に保存される。
【００２９】
このような状態において、利用者Ｆの携帯電話機からの電話が発信された場合、上述したＳ１０６〜Ｓ１１０の処理においては、広告制御部１３は、評価情報蓄積部７にアクセスし、各広告α〜δ，ア〜ウに対応する送信先を参照する。そして、広告制御部１３は、利用者Ｆが送信先として対応づけられている広告のうちの一つ（ここでは、飲料の広告α）をリングバックトーンとして選択し、電話の呼出中において利用者Ｆの携帯電話機に送信する。
【００３０】
このように、広告αを未評価の利用者についても、その利用者が広告αに付与する評価値を推測することで、この広告αに高い評価値を付与すると推測される利用者が選択され、その利用者に広告αを送信することができる。すなわち、発信者に好まれる可能性が高い新しい広告を、その発信者の端末に送信することができる。また、この広告配信システムでは、評価情報蓄積部７に蓄積された情報に基づいて広告の送信先が自動的に選択されるので、広告の選択基準の設定のための人的コストを抑えることができる。
【００３１】
なお、本実施形態では、広告α〜δ，ア〜ウを２つのグループに分けたが、上記グループ分けの処理と同様の処理によって、３つ以上のグループに分けてもよい。また、本実施形態では、広告αの送信先を選択する際に、広告αが属する第１グループの広告に対して高い評価値を付与している利用者を選択しているが、逆に第２グループの広告に対して低い評価値を付与している利用者を選択してもよい。これは、第２グループの広告における評価値の組合せは広告αと類似しないので、第２グループの広告に対して低い評価値を付与している利用者は、広告αに対して高い評価値を付与する可能性が低くないと考えられるからである。また、同様の理由により、広告α〜δ，ア〜ウを３グループ以上に分けた場合には、広告αとの広告類似度ｒが最も低いグループ（広告類似度ｒが−１に最も近いグループ）の広告に対して低い評価値を付与した利用者を選択してもよい。
【００３２】
なお、本発明は、上述した第１〜第４実施形態に限定されるものではない。例えば、利用者Ａの電話の呼出中に送信する広告としては、音声に限られず、携帯電話端末のディスプレイ上に表示される映像であってもよいし、このような映像と音声とを両方含むものであってもよい。また、広告間の評価値の組合せの類似性を数値化することが出来れば、広告類似度の計算は、数式（１）に限られず、他の計算式でもよい。また、本発明の広告配信システムは、携帯電話網に限られず、他の移動体通信網や、固定電話網等の他の通信網において用いられても良い。
【図面の簡単な説明】
【００３３】
【図１】本発明に係る広告配信システムの一実施形態を示すブロック図である。
【図２】図１の広告配信システムにおける処理を示すシーケンス図である。
【図３】評価情報蓄積部に蓄積された情報の一例を示す図である。
【図４】仮想利用者の情報の一例を示す図である。
【符号の説明】
【００３４】
１…広告配信システム、３…携帯電話網（通信網）、５…広告データベース（広告記憶手段）、７…評価情報蓄積部（評価情報蓄積手段）、９…蓄積情報演算部（類似度算出手段，送信先選択手段）、１３…広告制御部、１５…広告送出部（広告送信手段）、２５…情報更新部（評価情報更新手段）、Ｐ１，Ｐ２…携帯電話（端末）、Ｕ１…利用者（発信者）、Ｕ２…利用者。
【図１】
2007272660.tif 000004
【図２】
2007272660.tif 000005
【図３】
2007272660.tif 000006
【図４】
2007272660.tif 000007